(57)【要約】      （修正有）【課題】多様なレンズを選択できるだけでなく、レンズ交換を素人でも迅速かつ容易に行うことができ、またレンズの脱落や横ズレ、フレーム重心の偏り、部材の紛失、外観の悪化等の問題が生じることもなく、しかも、購入コストや製造コストの面でも有利な二重枠タイプの眼鏡フロント枠を提供する。【解決手段】メインフレーム１の第一ブリッジ11に設けた前後方向の貫通孔11aと、サブフレーム２の第二ブリッジ２１後面に突設された係止突起21a・21aとによって、サブフレーム２をメインフレーム１に脱着自在に構成し、更に前記メインフレーム１における第一ブリッジ11前面の係止孔11a周囲に設けた嵌合横溝と、前記サブフレーム２における第二ブリッジ21後面の係止突起21a周囲に設けた嵌合縦溝によって、第一ブリッジ11と第二ブリッジ21が相欠き接合されるように構成した。【選択図】図４
2015141412.tif 000002
【特許請求の範囲】
【請求項１】
左右テンプル(Ｔ)(Ｔ)が両側に連結されて眼鏡フレーム(Ｇ)の本体を構成するブロウバー型のメインフレーム(１)と；このメインフレーム(１)に、左右レンズ(Ｌ)(Ｌ)を装着した状態で取着されるサブフレーム(２)とを含んで成る二重枠タイプの眼鏡フロント枠であって、
前記メインフレーム(１)の中央に位置する第一ブリッジ(11)と、テンプル(Ｔ)(Ｔ)が連結される左右両端部との間にそれぞれ湾曲した眉形部(12)(12)が形成されると共に、これらの眉形部(12)(12)の下方に、装着した左右レンズ(Ｌ)(Ｌ)が配置されるように、前記サブフレーム(２)の中央に位置する第二ブリッジ(21)が、メインフレーム(１)の第一ブリッジ(11)に前側に取着される一方、
前記メインフレーム(１)の第一ブリッジ(11)に設けられた前後方向の貫通孔(11a)と、この貫通孔(11a)に脱入可能な、サブフレーム(２)の第二ブリッジ(22)後面に突設された係止突起(21a)(21a)とによって、サブフレーム(２)がメインフレーム(１)に脱着自在に構成されており、
更に前記メインフレーム(１)における第一ブリッジ(11)前面の係止孔(11a)周囲に設けられた、第二ブリッジ(21)の形状に適合する嵌合横溝(11b)と、前記サブフレーム(２)における第二ブリッジ(21)後面の係止突起(21a)周囲に設けられた、第一ブリッジ(11)の形状に適合する嵌合縦溝(21b)によって、第一ブリッジ(11)と第二ブリッジ(21)が相欠き接合されることを特徴とする二重枠タイプの眼鏡フロント枠。
【請求項２】
メインフレーム(１)の第一ブリッジ(11)下部に、下縁部がサドル形状を成す二股部(11c)が設けられると共に、この二股部(11c)を構成する左右の突起片に、それぞれノーズパッド(13)(13)が付設されていることを特徴とする請求項１記載の二重枠タイプの眼鏡フロント枠。
【請求項３】
メインフレーム(１)の第一ブリッジ(11)の嵌合横溝(11b)、及びサブフレーム(２)の第二ブリッジ(21)の下縁部が、第一ブリッジ(11)の二股部(11c)の下縁部に沿った形状となっていることを特徴とする請求項２記載の二重枠タイプの眼鏡フロント枠。
【請求項４】
メインフレーム(１)の第一ブリッジ(11)に横長矩形状の貫通孔(11a)が設けられる一方、サブフレーム(２)の第二ブリッジ(21)には、前記貫通孔(11a)の上下辺に沿って係止突起(21a)(21a)が設けられていることを特徴とする請求項１〜３の何れか一つに記載の二重枠タイプの眼鏡フロント枠。
【請求項５】
サブフレーム(２)の第二ブリッジ(21)の係止突起(21a)(21a)が、上下に設けられた突起の一方または両方の外側面に、先端にツメ部(Ｐ)を有する板バネ材(Ｓ)を固定して構成されていることを特徴とする請求項１〜４の何れか一つに記載の二重枠タイプの眼鏡フロント枠。
【発明の詳細な説明】
【技術分野】
【０００１】
本発明は、二重枠型の眼鏡フロント枠の改良、詳しくは、レンズの交換作業を素人でも迅速かつ容易に行うことができ、またレンズの脱落や横ズレ等の心配もなく、しかも、ブリッジ部分の重量の増加によって使用上の不快感が生じることもない二重枠タイプの眼鏡フロント枠に関するものである。
【背景技術】
【０００２】
周知のとおり、眼鏡の種類には、度付きレンズを装着した矯正用眼鏡や偏光レンズを装着したサングラス等があり、用途に応じて使い分けられている。また、サングラスに関しては、レンズカラーによって視界の印象や装着時の雰囲気が変わるため、使用状況やファッションに合わせてレンズカラーが異なるものを選択することが多い。
【０００３】
しかし、矯正用眼鏡やレンズカラーが異なるサングラスをそれぞれ別個に購入するとコストが高く付くだけでなく、外出した際に眼鏡をいくつも携帯しなければならないため、荷物として嵩張り易い。また、用途や使用状況等に応じてレンズのみを交換する方法も考えられるが、通常の眼鏡はレンズ交換が素人では難しく手間もかかる。またレンズ交換式のサングラスでは、形状や寸法、曲率が異なるレンズを使用できない。
【０００４】
そこで、従来においては、フロント枠を左右両側がテンプルに連結されたメインフレームと、このメインフレームに対して脱着自在なレンズ装着用のサブフレームとから構成した眼鏡フレームも公知となっており、この種の眼鏡フレームでは、異なるレンズが装着されたサブフレームに交換するだけでレンズ交換を一度に行えるようになる。
【０００５】
しかしながら、サブフレームの脱着機構に、凹凸によりブリッジ同士を嵌合する手段と磁着手段を用いた眼鏡フレーム(特許文献１,２参照)に関しては、眼鏡を装着した状態で強い衝撃を受けた際に磁着部分が離れてサブフレームが脱落する虞れがあった。しかも、フレーム中に磁石を埋め込む必要があったため、製造コストも高く付いた。
【０００６】
一方、サブフレームの脱着機構に、凹凸によりブリッジ同士を嵌合する手段とネジ止め手段を用いた眼鏡フレーム(特許文献３,４参照)に関しては、サブフレームの交換時にネジの取付け・取外しを行わなければならなかったため、ドライバー等の工具が必要となるだけでなく交換作業に手間がかかった。またネジ部材の紛失も起き易かった。
【０００７】
他方また、サブフレームの脱着機構に、メインフレームのブリッジに設けたストッパー付きの嵌合溝にサブフレームのブリッジを嵌め込む構造を採用した眼鏡フレーム(特許文献５〜７参照)については、メインフレーム及びサブフレームをプラスチック枠としてブリッジを太くした場合に、外観上及び使用上の不都合が生じる問題があった。
【０００８】
具体的には、サブフレーム及びメインフレームのブリッジを単純に太くすると、外観が悪くなるだけでなく、フロント枠のブリッジの重量が大きくなってフレーム重心が偏り、眼鏡の装着状態が不安定になったり、ノーズパッドから鼻に掛かる負荷が大きくなって鼻に痛痒が生じたりする等の問題を生じ易かった。
【０００９】
また、上記メインフレームのブリッジに嵌合溝を設けた眼鏡フレームに関しては、嵌合溝の入り口部分において脱落防止用のストッパー(突起)を上下に設けていただけであったため、前後方向や上下方向の負荷でサブフレームが位置ズレを起こす心配はないものの、横方向の負荷でサブフレームが位置ズレを起こす心配があった。
【先行技術文献】
【特許文献】
【００１０】
【特許文献１】実用新案登録代３０８８７１８号公報
【特許文献２】特開２００６−１７８４７８号公報
【特許文献３】特開２０１２−６８４７７号公報
【特許文献４】特開２０１３−６１３９６号公報
【特許文献５】特開２００１−３０５４９３号公報
【特許文献６】実用新案登録第３１０４９３２号公報
【特許文献７】特開２００７−８６２６０号公報
【発明の開示】
【発明が解決しようとする課題】
【００１１】
本発明は、上記の如き問題に鑑みて為されたものであり、その目的とするところは、多様なレンズを選択できるだけでなく、レンズ交換を素人でも迅速かつ容易に行うことができ、またレンズの脱落や横ズレ、フレーム重心の偏り、部材の紛失、外観の悪化等の問題が生じることもなく、しかも、購入コストや製造コストの面でも有利な二重枠タイプの眼鏡フロント枠を提供することにある。
【課題を解決するための手段】
【００１２】
本発明者が上記課題を解決するために採用した手段を添付図面を参照して説明すれば次のとおりである。
【００１３】
即ち、本発明は、左右テンプルＴ・Ｔが両側に連結されて眼鏡フレームＧの本体を構成するブロウバー型のメインフレーム１と；このメインフレーム１に、左右レンズＬ・Ｌを装着した状態で取着されるサブフレーム２とを含んで成る二重枠タイプの眼鏡フロント枠において、
前記メインフレーム１の中央に位置する第一ブリッジ11と、テンプルＴ・Ｔが連結される左右両端部との間にそれぞれ湾曲した眉形部12・12を形成すると共に、これらの眉形部12・12の下方に、装着した左右レンズＬ・Ｌが配置されるように、サブフレーム２の中央に位置する第二ブリッジ21を、メインフレーム１の第一ブリッジ11の前側に取着する一方、
前記メインフレーム１の第一ブリッジ11に設けられた前後方向の貫通孔11aと、この貫通孔11aに脱入可能な、サブフレーム２の第二ブリッジ22後面に突設された係止突起21a・21aとによって、サブフレーム２をメインフレーム１に脱着自在に構成し、
更に前記メインフレーム１における第一ブリッジ11前面の係止孔11a周囲に設けられた、第二ブリッジ21の形状に適合する嵌合横溝11bと、前記サブフレーム２における第二ブリッジ21後面の係止突起21a周囲に設けられた、第一ブリッジ11の形状に適合する嵌合縦溝21bによって、第一ブリッジ11と第二ブリッジ21を相欠き接合した点に特徴がある。
【００１４】
また、上記メインフレーム１の第一ブリッジ11下部に、下縁部がサドル形状を成す二股部11cを設けると共に、この二股部11cを構成する左右の突起片に、それぞれノーズパッド13・13を付設して、サブフレーム２をノーズパッドなしの構成とすることができる。
【００１５】
また更に、上記メインフレーム１の第一ブリッジ11に二股部11cを設ける場合には、第一ブリッジ11の嵌合横溝11bおよびサブフレーム２の第二ブリッジ21の下縁部を、第一ブリッジ11の二股部11cの下縁部に沿った形状とすることで、サブフレーム２の横方向の位置ズレを抑制する効果を高めることができる。
【００１６】
そしてまた、上記メインフレーム１の第一ブリッジ11に横長矩形状の貫通孔11aを設ける一方、サブフレーム２の第二ブリッジ21に、前記貫通孔11aの上下辺に沿って係止突起21a・21aを設けることにより、貫通孔11aの長手辺に合わせて係止突起21a・21aを大きく形成することができるため、係止突起21aの先端側に指を掛けて取り外しを行い易くなる。
【００１７】
また、上記サブフレーム２の第二ブリッジ21の係止突起21a・21aに関しては、サブフレーム２に弾性力の乏しい材料を使用する場合など、弾性力を増強する必要がある場合には、上下に設けられた突起の一方または両方の外側面に、先端にツメ部Ｐを有する板バネ材Ｓを固定して係止突起21aを構成することができる。
【発明の効果】
【００１８】
本発明では、二重枠型の眼鏡フロント枠において、メインフレームのブリッジに貫通孔を設けると共に、サブフレームのブリッジ後面に係止突起を設けて、この係止突起を前記メインフレームの貫通孔に止着可能に構成したことにより、サブフレームの係止突起をメインフレームの貫通孔に押し込む、又は係止突起の先端を指で反対側に押し出すだけで、サブフレームの脱着を行えるようになる。
【００１９】
そのため、素人でも簡単かつ迅速にサブフレームごと左右レンズの交換を行えるようになる。また本発明では、メインフレームとサブフレームの連結構造にネジ部材を使用していないため、サブフレームの交換に工具等を準備する必要もなく、また作業時にネジ部材を紛失するような事態も生じない。
【００２０】
また更に、本発明では、上記メインフレームとサブフレームの各ブリッジの接合面に、横溝及び縦溝を設けて両者を相欠き接合しているため、両フレームをプラスチック枠とした場合でもブリッジの厚みを抑えることができる。そのため、フレームの外観悪化やフレーム重心の偏り、装着時における鼻への負荷の増大等を抑制できる。
【００２１】
そしてまた、本発明では、メインフレームとサブフレームの各ブリッジを相欠き接合した状態で係止突起を貫通孔に止着して両フレームを一体化しているため、サブフレームの前後方向や上下方向の位置ズレだけでなく横方向の位置ズレも防止できる。しかも、本発明では、眼鏡装着時に衝撃を受けてもサブフレームが脱落する心配も殆どない。
【００２２】
他方また、本発明では、上記のようにサブフレームごと左右レンズの交換を行えるようにしているため、使用するレンズの寸法・形状・曲率が、メインフレームのデザインに縛られることもない。よって、本発明では、多様なレンズ(幅や厚みの異なる度付きレンズや偏光レンズ等)から使用レンズを選択することができる。
【００２３】
また、本発明では、左右レンズの交換を容易化したことにより、ユーザがレンズの種類が異なる眼鏡を用途に応じて複数購入する必要もなくなるため、ユーザの経済的負担も低減できる。一方、製造者側にとっても、磁石の埋込加工等の余計な手間が要らないため、眼鏡フレームの製造コストを安く抑えることができる。
【００２４】
したがって、本発明により、レンズ交換を素人でもスムーズに行えるだけでなく、ブリッジデザインのスリム化によって使用上の不都合も生じず、しかも、取り扱いや持ち運びにも便利な二重枠タイプの眼鏡フロント枠を安価に提供できることから、本発明の実用的利用価値は頗る高い。
【図面の簡単な説明】
【００２５】
【図１】本発明の実施例１における二重枠型の眼鏡フロント枠を表わす全体上面図、全体正面図及びＸ−Ｘ’断面図である。
【図２】本発明の実施例１におけるメインフレームを表わす全体正面図である。
【図３】本発明の実施例１におけるサブフレームを表わす全体上面図、全体正面図及び全体背面図である。
【図４】本発明の実施例１におけるサブフレームの取付け状態を表わす状態説明図である。
【図５】本発明の実施例１における二重枠型の眼鏡フロント枠を表わす全体上面図及び全体正面図である。
【図６】本発明の変形例におけるサブフレームの係止突起を表わす分解説明図及び断面図である。
【図７】本発明の変形例におけるサブフレームを表わす全体上面図、全体正面図及び全体背面図である。
【発明を実施するための形態】
【００２６】
『実施例１』
本発明の実施例１について、図１〜図６に基いて説明する。同図において、符号１で指示するものは、眼鏡フレームのフロント枠の一部を構成するメインフレームであり、符号２で指示するものは、同じくフロント枠の一部を構成するサブフレームである。
【００２７】
まず実施例１では、眼鏡フレームＧの二重枠型のフロント枠Ｆを、ブロウバー型のメインフレーム１と、このメインフレーム１に左右レンズＬ・Ｌを装着した状態で取着されるサブフレーム２とから構成し、前記メインフレーム１の両側に、左右テンプルＴ・Ｔを連結して眼鏡フレームＧの本体を構成している(図１参照)。
【００２８】
また本実施例では、上記フロント枠Ｆを構成するメインフレーム１及びサブフレーム２にポリイミド系樹脂から作製されたプラスチック枠を採用している。なお、テンプルＴ・Ｔから負荷を受けるメインフレーム１には、高強度及び高弾性の樹脂材料を使用する必要があるが、サブフレーム２にはそこまでの性能は求められない。
【００２９】
また、上記メインフレーム１に関しては、図２に示すように、中央に位置する第一ブリッジ11と、テンプルＴ・Ｔが連結される左右両端部との間にそれぞれ湾曲した眉形部12・12を形成している。そして、これらの眉形部12・12の下方に、装着した左右レンズＬ・Ｌが配置されるように、サブフレーム２の中央に位置する第二ブリッジ21を、第一ブリッジ11の前側に取着できるようにしている。
【００３０】
また更に、上記メインフレーム１の第一ブリッジ11には、中央に前後方向の貫通孔11aを設けると共に、第一ブリッジ11の前面における係止孔11a周囲に、第二ブリッジ21の形状に適合する嵌合横溝11bを形成している(図２中において、色を付した部分)。なお本実施例では、第一ブリッジ11に横長矩形状の貫通孔11aを設けている。
【００３１】
また本実施例では、上記メインフレーム１の第一ブリッジ11の下部に、下縁部がサドル形状を成す二股部11cを設けると共に、この二股部11cを構成する左右の突起片に、それぞれノーズパッド13・13を付設している。そして、第一ブリッジ11の嵌合横溝11bの下縁部を、第一ブリッジ11の二股部11cの下縁部に沿った形状としている。
【００３２】
一方、上記サブフレーム２に関しては、図３に示すように、上記メインフレーム１の第一ブリッジ11の貫通孔11aに脱入可能な係止突起21a・21aを第二ブリッジ22後面に上下に突設すると共に、第二ブリッジ21後面の係止突起21a周囲に、第一ブリッジ11に適合する嵌合縦溝21bを設けている(図３中で色を付した部分)。
【００３３】
なお本実施例では、上記サブフレーム２の係止突起21a・21aを、図１の断面図で示すように、突出長さの小さい上側突起と突出長さの大きい下側突起とから構成し、更に下側突起にツメ部Ｐを形成して、このツメ部Ｐが第一ブリッジ11の貫通孔に係止突起21a・21aを差し込んだ際に第一ブリッジ11後面に引っ掛かるようにしている。
【００３４】
また本実施例では、上記サブフレーム２を、第二ブリッジ21とその両側の部分リム22・22とから構成し、この部分リム22・22に両端を固定したバンドＢ・ＢでレンズＬ・Ｌを吊支して、レンズＬ・Ｌをサブフレーム２に装着している。なお、サブフレーム２のリム22・22には、部分リムだけでなくフルリムを採用することもできる。
【００３５】
そして、上記の構成を採用したことにより、図４(a)及び(b)に示すように、第二ブリッジ21の係止突起21a・21aを第一ブリッジ11の貫通孔11aに差し込むだけで、サブフレーム２の取り付けを簡単に行うことができ、また、係止突起21a(ツメ部Ｐを有する下側突起)を指で上側に持ち上げて押し戻すだけで、サブフレーム２の取外しも容易に行える。
【００３６】
また本実施例では、サブフレーム２の第二ブリッジ21に、横長矩形型の貫通孔11aの上下辺に沿った係止突起21a・21aを設けているため、貫通孔11aの長手辺に合わせて係止突起21a・21aを大きく形成することができ、これによって上記サブフレーム２の取外し時に係止突起21aの先端に指を掛け易くなる。
【００３７】
また、上記サブフレーム２をメインフレーム１に取り付けた際には、第一ブリッジ11と第二ブリッジ21を相欠き接合した状態にすることができるため、フロント枠Ｆのブリッジの厚みも小さく抑えられる。またこれにより、サブフレーム２の上下方向や前後方向、横方向の位置ズレを抑えてサブフレーム２をしっかりと固定することができる。
【００３８】
特に本実施例では、メインフレーム１の第一ブリッジ11の嵌合横溝11bおよびサブフレーム２の第二ブリッジ21の下縁部を、第一ブリッジ11の二股部11cの下縁部に沿った湾曲形状としているため、上記サブフレーム２の横方向の位置ズレを抑制する効果を一層高めることができる。
【００３９】
また、上記サブフレーム２に関しては、図５に示すように、寸法・形状・曲率の異なるレンズＬ’・Ｌ’が装着された異なるサブフレーム２’に交換することもできる。なお本実施例では、メインフレーム１側にノーズパッド13・13を設けているため、サブフレーム２の形態を、複数持ち運んでも嵩張らないシンプルな形態とすることができる。
【００４０】
本発明は、概ね上記のように構成されるが、本発明は図示の実施形態に限定されるものでは決してなく、「特許請求の範囲」の記載内において種々の変更が可能であって、例えば、メインフレーム１やサブフレーム２の材質に関しては、プラスチック枠以外のメタル枠や鼈甲枠や木枠等も採用できる。
【００４１】
また、メインフレーム１の第一ブリッジ11に設ける貫通孔11aと、サブフレーム２の第二ブリッジ21に設ける係止突起21a・21aについても、形状や数、位置を任意に変更することができる。具体的には、第一ブリッジ11に丸型の貫通孔11aを左右に二つ設けて、これに合わせて第二ブリッジ21に係止突起21a・21aを二つ配設することもできる。
【００４２】
また他にも、サブフレーム２に弾性力の乏しい材料を使用する場合など、係止突起21a・21aの弾性力を増強する必要がある場合には、図６(a)及び(b)に示すように、上下に設けられた突起の一方または両方の外側面に、先端にツメ部Ｐを有する板バネ材Ｓ(例えば、端部が屈曲したステンレス板等)をネジ材Ｎで固定して係止突起21aを構成することもできる。
【００４３】
また更に、サブフレーム２のレンズ装着構造に関しても、リム22・22は必須の構成要素ではなく、図７に示すように、第二ブリッジ21の両側にリム22・22の代わりにピン留め部23・23…やネジ止め部を設けて左右レンズＬ・Ｌを装着できるようにしてもよい。これにより、厚みの小さいレンズＬ・Ｌを使用することが可能になる。
【００４４】
そしてまた、上記サブフレーム２に装着するレンズＬ・Ｌに関しても、矯正用の度付きレンズやサングラス用の偏光レンズ等を使用可能で、特にサングラスレンズについては、レンズカラーやレンズカーブが異なる多種のレンズから選択して使用することができ、上記何れのものも本発明の技術的範囲に属する。
【産業上の利用可能性】
【００４５】
近年、様々な用途・状況に合わせて使用レンズを変更できる眼鏡フレームの需要が大きくなっている。そのような中で、本発明の二重枠タイプの眼鏡フロント枠は、レンズ交換の容易性が改善されるだけでなく、使用レンズの多様化も図れ、また使用上の不快感も生じない有用な技術であることから、その産業上の利用価値は非常に高い。
【符号の説明】
【００４６】
１  メインフレーム
11  第一ブリッジ
11a  貫通孔
11b  嵌合横溝
11c  二股部
12  眉形部
13  ノーズパッド
２  サブフレーム
21  第二ブリッジ
21a  係止突起
21b  嵌合縦溝
22  リム
23  ピン留め部
Ｇ  眼鏡フレーム
Ｔ  テンプル
Ｆ  フロント枠
Ｌ  レンズ
Ｂ  バンド
Ｐ  ツメ部
Ｓ  板バネ材
Ｎ  ネジ材
【図１】
2015141412.tif 000003
【図２】
2015141412.tif 000004
【図３】
2015141412.tif 000005
【図４】
2015141412.tif 000006
【図５】
2015141412.tif 000007
【図６】
2015141412.tif 000008
【図７】
2015141412.tif 000009